Podtech/llm-jp-corpus-v4-ja_patent huggingface dataset:
【手続補正書】
【提出日】平成24年7月26日(2012.7.26)
【手続補正１】
【補正対象書類名】特許請求の範囲
【補正対象項目名】全文
【補正方法】変更
【補正の内容】
【特許請求の範囲】
【請求項１】
呼気検査用の貯蔵安定なメタセチン組成物で、同位体標識化メタセチン、または、水に実質的に溶解したメタセチンの塩もしくは誘導体を含み、メタセチン分解の副組成物およびｐ−アニシジンが実質的に無い組成物。
【請求項２】
前記水に実質的に溶解したメタセチンは、９０％超のメタセチンを含む、請求項１に記載の組成物。
【請求項３】
前記水に実質的に溶解したメタセチンは、９９％超のメタセチンを含む、請求項１に記載の組成物。
【請求項４】
前記副生成物が実質的に無いのは、副生成物１％未満とする請求項１に記載の組成物。
【請求項５】
前記ｐ−アニシジンが実質的に無いのは、ｐ−アニシジン１％未満とする請求項１に記載の組成物。
【請求項６】
前記メタセチンを精製水に溶解する請求項１に記載の組成物。
【請求項７】
前記組成物が経口投与可能である請求項１に記載の組成物。
【請求項８】
室温での貯蔵に適する請求項１に記載の組成物。
【請求項９】
単一投与量のメタセチンを含む請求項１に記載の組成物。
【請求項１０】
全好気的微生物数が１００ｃｆｕ／ｍｌ以下である請求項１に記載の組成物。
【請求項１１】
全酵母およびカビ数が１０ｃｆｕ／ｍｌ以下である請求項１に記載の組成物。
【請求項１２】
実質的に保存剤が無い請求項１に記載の組成物。
【請求項１３】
メタセチン分解を阻害するのに適合した腑形剤が実質的に無い請求項１に記載の組成物。
【請求項１４】
ポリマー容器内に保持された請求項１に記載の組成物。
【請求項１５】
ガラス容器に維持した請求項１に記載の組成物。
【請求項１６】
約５．２〜７．８のｐＨ範囲を有する請求項１に記載の組成物。
【請求項１７】
被検体の肝臓疾患を評価する方法であって、
肝臓呼気検査からの変動パラメータを同位体標識化メタセチン、またはその塩もしくは誘導体の投与回復百分率（ＰＤＲ）曲線およびデルタ過剰ベースライン（ＤＯＢ）曲線の少なくとも一つに基づいてコンピュータで計算するステップと
被検体の少なくとも一つの肝臓疾患を前記変動パラメータに少なくとも基づいて評価するステップとを備える方法。
【請求項１８】
前記変動パラメータの所定閾値以下である値が、正常な肝臓状態を示す請求項１７に記載の方法。
【請求項１９】
被検体の肝臓疾患を評価する方法であって
被検体に請求項１に記載の組成物を投与するステップと
肝臓機能不全スコアを呼気検査に関連するパラメータおよび人口学的パラメータに少なくとも基づいてコンピュータで計算するステップとを備える方法。
【請求項２０】
被検体のＨＶＰＧ（肝静脈圧勾配）を評価するに当たり、
被検体に請求項１に記載の組成物を投与するステップと
メタセチン呼気検査を実施するステップと
被験体のＨＶＰＧを評価するステップとを備える方法。
【手続補正書】
【提出日】平成24年7月20日(2012.7.20)
【手続補正１】
【補正対象書類名】明細書
【補正対象項目名】０１０９
【補正方法】変更
【補正の内容】
【０１０９】
本明細書において使用する用語「癌」とは、皮膚又は体内臓器、例えば、限定はされないが、乳房、前立腺、肺、腎臓、膵臓、胃又は腸の細胞の悪性又は良性の腫瘍をいう。癌は、隣接する組織に浸潤し、例えば、骨、肝臓、肺又は脳など遠位の臓器に広がる（転移する）傾向がある。本明細書において使用する用語癌には、限定はされないが、メラノーマ、リンパ腫、白血病、線維肉腫、横紋筋肉腫及びマスト細胞腫などの転移性腫瘍細胞型、並びに限定はされないが、結腸直腸癌、前立腺癌、小細胞肺癌及び非小細胞肺癌、乳癌、膵癌、膀胱癌、腎癌、胃癌、神経膠芽腫、原発性肝癌、卵巣癌、前立腺癌及び子宮平滑筋肉腫などの組織細胞腫（tissue carcinoma）型の両方を含む。
【手続補正２】
【補正対象書類名】明細書
【補正対象項目名】０２６３
【補正方法】変更
【補正の内容】
【０２６３】
一実施態様において、本発明の化合物は、喘息及び/又は鼻炎及び/又はCOPDの治療及び/又は予防のための別の治療薬と同時投与され；特定の薬剤には、β2-アドレナリン受容体刺激薬（例えば、サルブタモール、レバルブテロール、テルブタリン及びビトルテロール）、エピネフリン（吸入又は錠剤）、抗コリン薬（例えば、臭化イプラトロピウム）、グルココルチコイド（経口又は吸入）長時間作用性β2-刺激薬（例えば、サルメテロール、ホルモテロール、バンブテロール及び徐放性経口アルブテロール）、吸入ステロイド薬と長時間作用性気管支拡張薬との組合せ（例えば、フルチカゾン/サルメテロール、ブデソニド/ホルモテロール）、ロイコトリエン拮抗薬及び合成阻害剤（例えば、モンテルカスト、ザフィルルカスト及びジロートン）、介在物遊離抑制剤（例えば、クロモグリケート及びケトチフェン）、IgE応答の生体調節因子（例えば、オマリズマブ）、抗ヒスタミン剤（例えば、セチリジン、シンナリジン、フェキソフェナジン）、血管収縮薬（例えば、オキシメタゾリン、キシロメタゾリン、ナファゾリン及びトラマゾリン）を含むが、これらに限定されない。
【手続補正３】
【補正対象書類名】明細書
【補正対象項目名】０２９４
【補正方法】変更
【補正の内容】
【０２９４】
（スズキカップリング）
【化４７】
2011529032.tif 000001
次に、方法Aを使用して標題化合物を合成する。
（方法K）
【化４８】
2011529032.tif 000002
（K.1  シクロプロパンカルボン酸(5-トリメチルシラニルエチニル-[1,2,4]トリアゾロ[1,5-a]ピリジン-2-イル)-アミド）
【化４９】
2011529032.tif 000003
THF（3.5mL）中のシクロプロパンカルボン酸(5-ブロモ-[1,2,4]トリアゾロ[1,5-a]ピリジン-2-イル)-アミド（0.36mmol）の脱気溶液に、CuI（0.036mmol）、Pd(PPh3)2Cl2（0.036mmol）、(iPr)2NH（0.137mL）及びトリメチルシリルアセチレン（0.43mmol）を添加する。該溶液を還流で一晩加熱し（70℃）、次いで、真空下で溶媒を除去する。粗製物を酢酸エチルで再溶解させ、水で洗浄する。有機層をMgSO4で乾燥させ、濾過し、溶媒を真空下で除去して、標題化合物を得る（95mg、89%収率）。更なる精製は行わない。
【手続補正４】
【補正対象書類名】明細書
【補正対象項目名】０４８３
【補正方法】変更
【補正の内容】
【０４８３】
（176.2：シクロプロパンカルボン酸{5-[4-(6-シアノ-ピリジン-3-イルメトキシ)-フェニル]-[1,2,4]トリアゾロ[1,5-a]ピリジン-2-イル}-アミドの合成）
【化６８】
2011529032.tif 000004
5-[4-(4,4,5,5-テトラメチル-[1,3,2]ジオキサボロラン-2-イル)-フェノキシメチル]-ピリジン-2-カルボニトリル（10g、0.03mol、1.1当量）を、1,4-ジオキサン/水（4:1；70mL）中のシクロプロパンカルボン酸(5-ブロモ-[1,2,4]トリアゾロ[1,5-a]ピリジン-2-イル)-アミド（7.6g、0.027mol）の溶液に添加した。K2CO3（7.45g、0.054mol、2当量）及びPdCl2dppf（5%）を該溶液に添加した。次いで、得られた混合物を、反応完了（LCMSにより監視）まで油浴において、N2下90℃で4〜16時間加熱した。1,4-ジオキサンを真空下で除去し、水/EtOAcを添加し、固形物を濾過した。得られた固形物をメタノール/DCMに溶解させ、MgSO4で乾燥させ、原液のEtOAcで溶出させたフラッシュクロマトグラフィーによる精製後、最終生成物を得た。
【手続補正５】
【補正対象書類名】明細書
【補正対象項目名】０６２５
【補正方法】変更
【補正の内容】
【０６２５】
（化合物307）
本化合物は、(R)-ピロリジン-3-オールを使用する方法Jにより製造した。
【手続補正書】
【提出日】平成24年7月20日(2012.7.20)
【手続補正１】
【補正対象書類名】明細書
【補正対象項目名】０１０６
【補正方法】変更
【補正の内容】
【０１０６】
本明細書において使用する用語「癌」とは、皮膚又は体内臓器、例えば、限定はされないが、乳房、前立腺、肺、腎臓、膵臓、胃又は腸の細胞の悪性又は良性の腫瘍をいう。癌は、隣接する組織に浸潤し、例えば、骨、肝臓、肺又は脳など遠位の臓器に広がる（転移する）傾向がある。本明細書において使用する用語癌には、限定はされないが、メラノーマ、リンパ腫、白血病、線維肉腫、横紋筋肉腫及びマスト細胞腫などの転移性腫瘍細胞型、並びに限定はされないが、結腸直腸癌、前立腺癌、小細胞肺癌及び非小細胞肺癌、乳癌、膵癌、膀胱癌、腎癌、胃癌、神経膠芽腫、原発性肝癌、卵巣癌、前立腺癌及び子宮平滑筋肉腫などの組織細胞腫（tissue carcinoma）型の両方を含む。
【手続補正２】
【補正対象書類名】明細書
【補正対象項目名】０１９２
【補正方法】変更
【補正の内容】
【０１９２】
一実施態様において、本発明の化合物は、喘息及び/又は鼻炎及び/又はCOPDの治療及び/又は予防のための別の治療薬と同時投与され；特定の薬剤には、β2-アドレナリン受容体刺激薬（例えば、サルブタモール、レバルブテロール、テルブタリン及びビトルテロール）、エピネフリン（吸入又は錠剤）、抗コリン薬（例えば、臭化イプラトロピウム）、グルココルチコイド（経口又は吸入）長時間作用性β2-刺激薬（例えば、サルメテロール、ホルモテロール、バンブテロール及び徐放性経口アルブテロール）、吸入ステロイド薬と長時間作用性気管支拡張薬との組合せ（例えば、フルチカゾン/サルメテロール、ブデソニド/ホルモテロール）、ロイコトリエン拮抗薬及び合成阻害剤（例えば、モンテルカスト、ザフィルルカスト及びジロートン）、介在物遊離抑制剤（例えば、クロモグリケート及びケトチフェン）、IgE応答の生体調節因子（例えば、オマリズマブ）、抗ヒスタミン剤（例えば、セチリジン、シンナリジン、フェキソフェナジン）、血管収縮薬（例えば、オキシメタゾリン、キシロメタゾリン、ナファゾリン及びトラマゾリン）を含むが、これらに限定されない。
【手続補正３】
【補正対象書類名】明細書
【補正対象項目名】０２２０
【補正方法】変更
【補正の内容】
【０２２０】
（176.2：シクロプロパンカルボン酸{5-[4-(6-シアノ-ピリジン-3-イルメトキシ)-フェニル]-[1,2,4]トリアゾロ[1,5-a]ピリジン-2-イル}-アミドの合成）
【化３５】
2011529033.tif 000001
5-[4-(4,4,5,5-テトラメチル-[1,3,2]ジオキサボロラン-2-イル)-フェノキシメチル]-ピリジン-2-カルボニトリル（10g、0.03mol、1.1当量）を、1,4-ジオキサン/水（4:1；70mL）中のシクロプロパンカルボン酸(5-ブロモ-[1,2,4]トリアゾロ[1,5-a]ピリジン-2-イル)-アミド（7.6g、0.027mol）の溶液に添加した。K2CO3（7.45g、0.054mol、2当量）及びPdCl2dppf（5%）を該溶液に添加した。次いで、得られた混合物を、反応完了（LCMSにより監視）まで油浴において、N2下90℃で加熱した。1,4-ジオキサンを真空下で除去し、水/EtOAcを添加し、固形物を濾過した。得られた固形物をメタノール/DCMに溶解させ、MgSO4で乾燥させ、原液のEtOAcで溶出させたフラッシュクロマトグラフィーによる精製後に、白色固体として最終生成物を得た。
【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
哺乳類、特にヒトへの治療薬の送達のための方法での使用のため、超音波に曝されるとき物理的変化を受ける超音波粒子であって、当該方法は、（ｉ）超音波粒子を投与するステップと、（ｉｉ）超音波の付与により影響を受けて治療薬の放出を可能にする超音波剤形で治療薬を投与するステップと、（ｉｉｉ）前記超音波粒子が、エコー及び／又は放射を含む音響反応の検出を受けて、超音波粒子の少なくとも幾らかの物理的変化に影響を与えるため超音波を付与する最初の付与ステップと、
（ｉｖ）超音波剤形からの治療薬の放出を刺激するための超音波を更に付与するステップとを有する、超音波粒子。
【請求項２】
前記治療薬を有するキャリアの形式で前記治療薬が投与され、前記キャリアは超音波粒子である、請求項１に記載の超音波粒子。
【請求項３】
超音波粒子の少なくとも２つのセットが投与されて、超音波に曝され、一方のセットは音響特性の検出を受けることにより撮像トレーサーとして役立ち、他方のセットは治療薬を有して放出する送達手段として役立つ、請求項１又は２に記載の超音波粒子。
【請求項４】
前記撮像トレーサーが投与されて音響特性の検出を受ける第１のフェーズとしての計画フェーズと、前記送達手段が投与され、前記治療薬の放出を行う第２のフェーズとしての処置フェーズとを有する、請求項３に記載の超音波粒子。
【請求項５】
前記撮像トレーサー及び前記送達手段は、同時に投与され、選択的に撮像及び治療薬放出のために活性化される、請求項３に記載の超音波粒子。
【請求項６】
治療薬なしの超音波粒子の第１のセットと治療薬を有する超音波粒子の第２のセットとを有する、混合物。
【請求項７】
第１のセットは、低い超音波強度でさえ音波を発生する粒子を有し、第２のセットは、活性超音波閾値よりも低いとわずかな音波を発生する粒子を有する、請求項６に記載の混合物。
【請求項８】
第１のセットは、相対的に低い活性超音波閾値を備えた粒子を有し、第２のセットは、相対的に高い活性超音波閾値を備えた粒子を有する、請求項６又は７に記載の混合物。
【請求項９】
第１のセットは、相対的に薄い殻の超音波粒子を有し、第２のセットは、第１のセットと同じ殻組成及び殻構造を持った、相対的に厚い殻の超音波粒子を有する、請求項６乃至８の何れか一項に記載の混合物。
【請求項１０】
第１のセットは、ガス充填マイクロスフェアを含む、請求項６乃至９の何れか一項に記載の混合物。
【請求項１１】
前記治療薬がフォーカスされた超音波で送られる熱により活性化される粒子内に含まれる、請求項１０に記載の混合物。
【請求項１２】
薬剤としての請求項６乃至１１の何れか一項に記載の混合物。
【手続補正書】
【提出日】平成24年10月11日(2012.10.11)
【手続補正１】
【補正対象書類名】特許請求の範囲
【補正対象項目名】全文
【補正方法】変更
【補正の内容】
【特許請求の範囲】
【請求項１】
0.5〜10.0重量％のテルビナフィンまたは医薬的に許容可能なその塩
2〜10重量％のリン脂質
1〜5重量％の界面活性剤
を含む、ヒト被験者の真菌感染症を処置するための局所投与用水性医薬製剤であって、製剤中のリン脂質対界面活性剤の比が1/1〜5/1(w/w)である、上記製剤。
【請求項２】
前記真菌感染症が爪甲真菌症である、請求項１に記載の製剤。
【請求項３】
前記医薬製剤がクリーム、ローション、軟膏、ゲル、溶液、スプレー、ラッカーまたはフィルム形成性溶液である、請求項１に記載の製剤。
【請求項４】
前記製剤がテルビナフィンまたは医薬的に許容可能なその塩1.5重量％を含む、請求項１に記載の製剤。
【請求項５】
前記リン脂質がホスファチジルコリンである、請求項１に記載の製剤。
【請求項６】
前記界面活性剤は、ポリオキシエチレンソルビタン、ポリヒドロキシエチレンステアレートまたはポリヒドロキシエチレンラウリルエーテルからなる群から選択される非イオン界面活性剤である、請求項１に記載の製剤。
【請求項７】
前記界面活性剤がポリソルベート80(Tween 80)である、請求項１に記載の製剤。
【請求項８】
前記製剤は被験者の爪及び/または周囲の皮膚の両方に適用するのに適したものである、請求項１に記載の製剤。
【請求項９】
治療的有効量のテルビナフィンまたはその医薬的に許容可能な塩、リン脂質及び界面活性剤を含む、被験者の爪にテルビナフィンを送達するための医薬製剤であって、前記製剤は2〜10重量％のリン脂質および1〜5重量％の界面活性剤を含み、リン脂質対界面活性剤の比が1/1〜5/1(w/w)である、上記製剤。
【請求項１０】
前記製剤がクリーム、ローション、溶液、軟膏、ゲル、スプレー、ラッカーまたはフィルム形成性溶液である、請求項９に記載の製剤。
【請求項１１】
前記製剤がテルビナフィン約1.5重量％を含む、請求項９に記載の製剤。
【請求項１２】
前記リン脂質がホスファチジルコリンである、請求項９に記載の製剤。
【請求項１３】
前記界面活性剤が、ポリオキシエチレンソルビタン、ポリヒドロキシエチレンステアレートまたはポリヒドロキシエチレンラウリルエーテルからなる群から選択される非イオン界面活性剤である、請求項９に記載の製剤。
【請求項１４】
前記界面活性剤がポリソルベート80(Tween 80)である、請求項９に記載の製剤。
【請求項１５】
前記製剤は被験者の爪及び/または周囲の皮膚の両方に適用するのに適したものである、請求項９に記載の製剤。
【請求項１６】
0.5〜10.0重量％のテルビナフィンまたはその医薬的に許容可能な塩、2〜10重量％の脂質及び1〜5重量％の界面活性剤を水溶液中に含むテルビナフィン製剤であって、局所送達に適している前記製剤。
【請求項１７】
前記製剤がさらに増粘剤を含む、請求項１６に記載の製剤。
【請求項１８】
前記水溶液が4.0〜7.5の範囲のpHをもつ、請求項１６に記載の製剤。
【請求項１９】
前記脂質がリン脂質である、請求項１６に記載の製剤。
【請求項２０】
前記リン脂質対界面活性剤の比は約1/1〜5/1(w/w)である、請求項１９に記載の製剤。
【請求項２１】
前記リン脂質はホスファチジルコリンである、請求項１６に記載の製剤。
【請求項２２】
前記界面活性剤が、ポリオキシエチレンソルビタン、ポリヒドロキシエチレンステアレートまたはポリヒドロキシエチレンラウリルエーテルからなる群から選択される非イオン界面活性剤である、請求項１６に記載の製剤。
【請求項２３】
前記界面活性剤がポリソルベート80(Tween 80)である、請求項１６に記載の製剤。
【請求項２４】
ヒト被験者の爪及び/または周辺の皮膚に製剤を局所適用することによりヒトの爪組織にテルビナフィンを投与するための医薬製剤であって、前記製剤はテルビナフィンまたはその医薬的に許容可能な塩、脂質及び界面活性剤を含み、前記投与により爪組織グラム当たり少なくとも約2.5mg/gのテルビナフィンの平均濃度となり、前記平均濃度は前記製剤の投与中断後少なくとも2週間で測定し；前記投与によりヒト被験者中のテルビナフィンの平均血清濃度が10ng/mL未満となる、前記製剤。
【請求項２５】
前記投与によりヒト被験者でのテルビナフィンの平均血清濃度が5ng/g未満となる、請求項２４に記載の製剤。
【請求項２６】
前記投与によりヒト被験者でのテルビナフィンの平均血清濃度が1ng/g未満となる、請求項２４に記載の製剤。
【請求項２７】
前記製剤がテルビナフィン約3.0mgを含む、請求項２４に記載の製剤。
【請求項２８】
前記製剤は一日二回投与するのに適したものである、請求項２４−２７のいずれかに記載の製剤。
【請求項２９】
前記製剤は少なくとも二週間投与するのに適したものである、請求項２８に記載の製剤。
【請求項３０】
テルビナフィンまたはその医薬的に許容可能な塩、リン脂質及び界面活性剤を含む、ヒト被験者の真菌感染症の処置において９０％より高い真菌学的治癒を引き起こす局所投与用水性医薬製剤。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
ａ）２０ｍｍを超える平均泡高を有するＰＥＧ−８〜ＰＥＧ−１２線状ジメチコン界面活性剤を含む発泡剤；
ｂ）５０〜９０質量％のＣ２−Ｃ４アルコール；及び
ｃ）水
を含む非エアロゾル発泡抗菌剤組成物であって、５質量％未満の追加の界面活性剤が存在する非エアロゾル発泡抗菌剤組成物。
【請求項２】
０．０１〜２０質量％の皮膚コンディショナーをさらに含む請求項１に記載の抗菌剤組成物。
【請求項３】
前記皮膚コンディショナーは、エチルヘキシルグリセリン、ヒドロキシエチル尿素、尿素、パンテノール、グリセリン、ミリスチン酸イソプロピル、プロピレングリコール、酢酸トコフェロール、ポリクオタニウム−１１及びそれらの混合物からなる群から選択される、請求項２に記載の抗菌剤組成物。
【請求項４】
皮膚感触改良剤、酸化防止剤、香料、染料及びそれらの混合物からなる群から選択される追加の成分をさらに含む請求項１に記載の抗菌剤組成物。
【請求項５】
前記発泡剤はＰＥＧ−１０線状ジメチコン界面活性剤である、請求項１に記載の抗菌剤組成物。
【請求項６】
追加の界面活性剤を含まない請求項１に記載の抗菌剤組成物。
【請求項７】
ａ）２０ｍｍを超える平均泡高を有するＰＥＧ−１０線状シリコーン界面活性剤を含む発泡剤；
ｂ）５０〜９０質量％のＣ２−Ｃ４アルコール；及び
ｃ）水
を含む発泡抗菌剤組成物であって、５質量％未満の追加の界面活性剤が存在する発泡抗菌剤組成物。
【請求項８】
０．００５〜５質量％のテルペノイドをさらに含む請求項７に記載の抗菌剤組成物。
【請求項９】
皮膚感触改良剤、酸化防止剤、香料、染料及びそれらの混合物からなる群から選択される追加の成分をさらに含む請求項７に記載の抗菌剤組成物。
【請求項１０】
エチルヘキシルグリセリン、ヒドロキシエチル尿素、尿素、パンテノール、グリセリン、ミリスチン酸イソプロピル、プロピレングリコール、酢酸トコフェロール、ポリクオタニウム−１１及びそれらの混合物からなる群から選択される皮膚コンディショナーをさらに含む請求項７に記載の抗菌剤組成物。
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
媒体の複数の用紙を支えるように構成された媒体容器；
ピック・ローラーを含むピックアームであり、該ピック・ローラーは、前記媒体容器における媒体の複数の用紙の個別の用紙に接触するように位置している、ピックアーム；
前記媒体容器における媒体の前記個別の用紙の位置に相関してセンサーによって感知される測定可能な特性を有する部材であり、該部材又は該センサーは、前記媒体容器における媒体の前記個別の用紙の位置を示す信号を供給するために前記測定可能な特性が前記センサーによって感知され、前記部材は前記媒体の個別の用紙上においてゼロの抵抗を供給するように、前記ピックアームによって経路に沿って動かされることが可能な、部材；
を含むイメージング・システム。
【請求項２】
記録媒体の複数の用紙を支えるように構成されたトレイ；
ピック・ローラーを含むピックアームであり、該ピック・ローラーは前記トレイにおける媒体の前記複数の用紙の個別の用紙に接触するように構成された、ピック・ローラー；
発光体；
該発光体から間隔が取られた光学センサー；及び
前記トレイにおける媒体の前記複数の用紙の前記個別の用紙の位置を示す信号を供給するために、前記ピックアームによって動かされることが可能な部材；
を含む印刷システム。
【請求項３】
媒体容器内の媒体の個別の用紙の位置を検出するための方法であり：
該媒体容器における媒体の前記個別の用紙に接触するように、ピック・ローラーを有するピックアームを配置するステップ；
センサーで部材に相関する測定可能な特性を感知するステップ；及び
前記媒体容器における媒体の前記個別の用紙の位置を示す信号をコントローラーに供給するステップ；
を含む、方法。
【手続補正書】
【提出日】平成24年7月2日(2012.7.2)
【手続補正１】
【補正対象書類名】明細書
【補正対象項目名】００３３
【補正方法】変更
【補正の内容】
【００３３】
以上、その好適な実施形態を参照しつつ本発明について詳細に説明したが、本発明の技術的範囲内でそれらに変形や改良を施すことも可能であるので、その点をご理解頂きたい。なお、以下に、付記として本発明の構成の一例を示す。
（付記１）
複数枚のシート状媒体を保持可能な第１媒体ホルダと、
別の複数枚のシート状媒体を保持可能な第２媒体ホルダと、
第１又は第２媒体ホルダ内にある個別のシート状媒体に対し媒体ホルダ選択的に接触する接触部材と、
それに備わる可計測な特性を、第１又は第２媒体ホルダにおけるシート状媒体の嵩（位置）と関連付けつつセンサで検知することで、第１又は第２媒体ホルダにおけるシート状媒体の嵩（位置）を媒体ホルダ選択的に示す信号が得られる部材と、
を備える印刷システム。
（付記２）
複数枚のシート状記録媒体を保持可能な第１トレイと、
別の複数枚のシート状記録媒体を保持可能で第１方向に沿い第１トレイから離れた位置にある第２トレイと、
発光器と、
発光器から離れた位置にある光センサと、
第１又は第２トレイ内にある個別のシート状媒体に対しトレイ選択的に接触する位置にある接触部材と、
その接触部材を用い動かすことで、第１又は第２トレイにおけるシート状媒体の嵩（位置）をトレイ選択的に示す信号が得られる可動部材と、
を備える印刷システム。
（付記３）
付記２記載の印刷システムであって、その第２トレイを第１ポジションから第２ポジションへと動かすことができ、第２トレイが第１ポジションにあるときには接触部材が第１トレイ内のシート状媒体に接触し、第２トレイが第２ポジションにあるときには接触部材が第２トレイ内のシート状媒体に接触する印刷システム。
（付記４）
付記２記載の印刷システムであって、第２トレイにとり第１ポジションが媒体装填時ポジション、第２ポジションが印刷時ポジションである印刷システム。
（付記５）
付記２記載の印刷システムであって、その可動部材が、
その遮光度が部位毎に変化する第１部材と、
第１方向に対し略平行な方向に沿い第１領域から離れた位置にありその遮光度が部位毎に変化する第２領域と、
を有する印刷システム。
（付記６）
付記５記載の印刷システムであって、その可動部材が不透明部材であり、第１領域がその不透明部材に設けられた第１開口領域であり、第２領域が当該不透明部材に設けられた第２開口領域である印刷システム。
（付記７）
付記６記載の印刷システムであって、それら第１及び第２開口領域の幅が第１方向に沿い変化する印刷システム。
（付記８）
付記５記載の印刷システムであって、第１方向に対し略直交する方向に沿い第１及び第２領域から離れた位置にある軸を中心に枢動するピックアームに、その可動部材が装着されている印刷システム。
（付記９）
付記８記載の印刷システムであって、ピックアップローラが第１トレイ内のシート状媒体に接触する第１ポジションと、ピックアップローラが第２トレイ内のシート状媒体に接触する第２ポジションと、の間でのピックアームの枢動が補償されるよう、第１領域の姿勢と第２領域の姿勢の間に角度差を付けた印刷システム。
（付記１０）
付記２記載の印刷システムであって、第１又は第２トレイにおけるシート状媒体の嵩（位置）をトレイ選択的に示す信号に基づき、第１トレイ内に残っている媒体の量、第２トレイ内に残っている媒体の量又はその双方を、グラフィカルな形態で画面上に表示させる印刷システム。
（付記１１）
複数個のトレイに亘り媒体量を検知する方法であって、
ある部材に対し位置決めされているトレイ内のシート状媒体にその部材を接触させるステップと、
複数個あるトレイのうちいずれがそのトレイであるかを識別するステップと、
その部材に係る可計測な特性をセンサで検知するステップと、
そのトレイにおけるシート状媒体の嵩（位置）を示す信号をコントローラに供給するステップと、
その部材に対し別のトレイが位置決めされたときに当該別のトレイを対象に上記各ステップを再実行するステップと、
を有する方法。
（付記１２）
付記１１記載の方法であって、それまでその部材に対し位置決めされていたトレイを動かした上で上記別のトレイをその部材に対し位置決めする方法。
（付記１３）
付記１１記載の方法であって、そのコントローラからディスプレイへと信号を供給し、いずれかのトレイにおけるシート状媒体の嵩（位置）を表示させる方法。
（付記１４）
付記１１記載の方法であって、そのコントローラからディスプレイへと信号を供給し、複数個のトレイにおけるシート状媒体の嵩（位置）を表示させる方法。
（付記１５）
付記１１記載の方法であって、そのコントローラからスピーカへと可聴信号を供給し、いずれかのトレイにおけるシート状媒体の嵩（位置）を通知させる方法。
（付記１６）
付記１５記載の方法であって、その可聴信号の調べがトレイ毎に異なる方法。
【手続補正２】
【補正対象書類名】特許請求の範囲
【補正対象項目名】全文
【補正方法】変更
【補正の内容】
【特許請求の範囲】
【請求項１】
複数枚のシート状媒体を保持する第１媒体ホルダと、
別の複数枚のシート状媒体を保持する第２媒体ホルダと、
第１又は第２媒体ホルダ内にある個別のシート状媒体に対し選択的に接触する接触部材と、
可計測な特性を、第１又は第２媒体ホルダにおける個別のシート状媒体の嵩と関連付けつつセンサで検知することで、第１又は第２媒体ホルダにおける個別のシート状媒体の嵩を選択的に示す信号が得られる部材と、
を備える印刷システム。
【請求項２】
複数枚のシート状記録媒体を保持する第１トレイと、
別の複数枚のシート状記録媒体を保持し第１方向に沿い第１トレイから離れた位置にある第２トレイと、
発光器と、
発光器から離れた位置にある光センサと、
第１又は第２トレイ内にある個別のシート状媒体に対し選択的に接触する位置にある接触部材と、
その接触部材を用い動かすことで、第１又は第２トレイにおける個別のシート状媒体の嵩を選択的に示す信号が得られる可動部材と、
を備える印刷システム。
【請求項３】
複数個のトレイにおいて媒体量を検知する方法であって、
ある部材に対し位置決めされている第１トレイ内の個別のシート状媒体にその部材を接触させるステップと、
複数個あるトレイのうちいずれがその第１トレイであるかを識別するステップと、
その部材に係る可計測な特性をセンサで検知するステップと、
その第１トレイにおける個別のシート状媒体の嵩を示す信号をコントローラに供給するステップと、
その部材に対し第２トレイが位置決めされたときに当該第２トレイを対象に上記各ステップを再実行するステップと、
を有する方法。
【手続補正書】
【提出日】平成24年1月27日(2012.1.27)
【手続補正１】
【補正対象書類名】特許請求の範囲
【補正対象項目名】全文
【補正方法】変更
【補正の内容】
【特許請求の範囲】
【請求項１】
濃度０．０４ｍｇ／ｍｌ水溶液において５００ｎｍでのＵＶ−ＶＩＳ吸収値が約０．１０から０．１６のゴマ抽出物を含む組成物。
【請求項２】
還元型メラニンの分子量が約２６４から約５４００ダルトンの間である請求項１に記載の組成物。
【請求項３】
還元型メラニンの炭素含量が約３５から約５７重量パーセントであり、水素含量が約５から約１０重量パーセントであり、窒素含量が約５から約１０重量パーセントである請求項１または２に記載の組成物。
【請求項４】
還元型メラニンの硫黄含量が約１重量パーセント未満である請求項１−３のいずれかに記載の組成物。
【請求項５】
還元型メラニンの赤外スペクトルが約３４００ｃｍ−１、約２９５０ｃｍ−１、約１６００から約１６５０ｃｍ−１、約１３８０から約１４００ｃｍ−１、約１２６０ｃｍ−１、および約１１７０ｃｍ−１において吸収バンドを示す請求項１−４のいずれかに記載の組成物。
【請求項６】
還元型メラニンの分子量が約２６４から約２０００ダルトンの間である請求項１−５のいずれかに記載の組成物。
【請求項７】
還元型メラニンの分子量が約４００から約１６００ダルトンの間である請求項６に記載の組成物。
【請求項８】
充分な量の請求項１−７のいずれかに記載の組成物とビタミンとを混合する工程を含む、ビタミンの酸化を防止または減少させる方法。
【請求項９】
ビタミンがビタミンＣである請求項８に記載の方法。
【請求項１０】
ＬＤＬに対して十分な量の請求項１−７のいずれかに記載の組成物を含む、ＬＤＬの酸化を減少または阻害するための医薬組成物。
【請求項１１】
治療上有効量の請求項１−７のいずれかに記載の組成物を含む、循環器疾患を治療または予防するための医薬組成物。
【請求項１２】
循環器疾患がアテローム性動脈硬化症または冠動脈疾患である請求項１１に記載の医薬組成物。
【請求項１３】
治療上有効量の請求項１−７のいずれかに記載の組成物を含む、潰瘍を治療または予防するための医薬組成物。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
地熱エネルギー源からメタノールを製造する方法であって、地熱源から水又は水蒸気を得ることと、水又は水蒸気から水素を生成することと、好適な吸収材への吸着によって地熱源から二酸化炭素を単離することと、単離した二酸化炭素及び生成した水素をメタノールに変換することとを含み、単離した二酸化炭素及び生成した水素が地熱源のみから得られ、単離した二酸化炭素および生成した水素のみからメタノールが製造され、地熱源がメタノールの製造に必要なエネルギーの全てを提供する方法。
【請求項２】
吸収材が、ナノ構造で表面積が大きい支持体に堆積させたポリマーを含有するポリアミノである請求項１の方法。
【請求項３】
ポリマーを含有するポリアミノがポリエチレンイミンであり、支持体が溶融シリカ又はアルミナである請求項２の方法。
【請求項４】
水素を、水の電気分解又は触媒開裂若しくは熱開裂によって生成する請求項１の方法。
【請求項５】
ホルムアルデヒド及び少量のメタノールの形成を相伴いつつ、蟻酸を含有する反応混合物を製造するのに十分な条件下で水素によって二酸化炭素を還元することと、次いで、ホルムアルデヒド及び蟻酸を変換してメタノールのみを形成することとを含む請求項１の方法。
【請求項６】
エチレン又はプロピレンを形成するのに十分な条件下にて二官能性の酸−塩基触媒又はゼオライト触媒の存在下で、製造されたメタノール又はジメチルエーテルを反応させることをさらに含む請求項１の方法。
【請求項７】
合成炭化水素、誘導される化学物質、ポリマー又はそれらに由来する生成物を製造するのに十分な条件下でエチレン又はプロピレンを変換することをさらに含む請求項６の方法。
【請求項８】
高温の反応を介して二酸化炭素から一酸化炭素を形成し、そのように製造された一酸化炭素をメタノールと反応させて蟻酸メチルを形成し、続いて、生成した水素を用いて蟻酸メチルを触媒的水素化することにより、単離した二酸化炭素及び生成した水素をメタノールに変換する請求項１の方法。
【請求項９】
ジメチルエーテルを製造するのに十分な条件下でメタノールを変換することをさらに含む請求項１の方法。
【請求項１０】
エチレン又はプロピレンを形成するのに十分な条件下にて二官能性の酸−塩基触媒又はゼオライト触媒の存在下で、製造されたメタノール又はジメチルエーテルを反応させることをさらに含む請求項９の方法。
【請求項１１】
合成炭化水素、誘導される化学物質、ポリマー又はそれらに由来する生成物を製造するのに十分な条件下でエチレン又はプロピレンを変換することをさらに含む請求項９の方法。
【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
以下の式の化合物
【化１】
2011529054.tif 000001
（式中、
Ｒ１は、Ｈまたはメチルであり、
Ｒ２は、アミノ、ジメチルアミノ、フルオロ、シクロプロピル、必要に応じてアミノ置換基もしくは１〜２のメチル置換基で置換されたピリジル、必要に応じて２つのメチル置換基で置換されたピラゾリル、２−メトキシ−ピリミジン−５−イル、４−メチルスルホニルフェニル、テトラヒドロ−２Ｈ−ピラン−４−イルアミノ、（テトラヒドロ−２Ｈ−ピラン−４−イル）アミノカルボニル、またはモルホリン−４−イル置換基
【化２】
2011529054.tif 000002
（式中、Ｒａ、ＲｂおよびＲｃは、Ｈまたはメチルから独立して選択される）
であり、
Ｒ３は、ＨまたはＦであり、
Ｒ４は、Ｈ、メチル、ピペリジン−１−イルメチル、モルホリン−４−イルメチル、またはピラゾール−１−イルメチルであり、
Ｒ５は、ＨまたはＦであり、
Ｘは、ＣＨ＝Ｎ、ＣＨ＝ＣＨ、ＣＨ＝Ｃ（ＣＨ３）、Ｃ（ＣＨ３）＝ＣＨ、Ｃ（ＣＨ３）＝Ｎ、Ｎ（ＣＨ３）、またはＣ（モルホリン−４イルメチル）＝ＣＨである）
またはその薬理学的に許容可能な塩。
【請求項２】
Ｒ２は、アミノ、ジメチルアミノ、シクロプロピル、必要に応じてアミノ置換基もしくは１〜２のメチル置換基で置換されたピリジル、ピラゾール−４−イル、またはモルホリン−４−イルである、請求項１に記載の化合物、またはその薬理学的に許容可能な塩。
【請求項３】
Ｒ２は、アミノ、ジメチルアミノ、ピラゾール−４−イル、またはモルホリン−４−イルである、請求項１に記載の化合物、またはその薬理学的に許容可能な塩。
【請求項４】
Ｒ２は、ピラゾール−４−イルである、請求項１に記載の化合物、またはその薬理学的に許容可能な塩。
【請求項５】
Ｒ４は、Ｈ、メチル、またはモルホリン−４−イルメチルである、請求項１〜４に記載の化合物、またはその薬理学的に許容可能な塩。
【請求項６】
Ｒ４は、Ｈである、請求項１〜４に記載の化合物、またはその薬理学的に許容可能な塩。
【請求項７】
Ｘは、ＣＨ＝ＣＨまたはＣＨ＝Ｃ（ＣＨ３）である、請求項１〜６に記載の化合物、またはその薬理学的に許容可能な塩。
【請求項８】
Ｎ−（３−フルオロ−４−（１−メチル−６−（１Ｈ−ピラゾール−４−イル）−１Ｈ−インダゾール−５−イルオキシ）フェニル）−１−（４−フルオロフェニル）−６−メチル−２−オキソ−１，２−ジヒドロピリジン−３−カルボキシアミドである、請求項１に記載の化合物、またはその薬理学的に許容可能な塩。
【請求項９】
Ｎ−（３−フルオロ−４−（１−メチル−６−（１Ｈ−ピラゾール−４−イル）−１Ｈ−インダゾール−５−イルオキシ）フェニル）−６−メチル−２−オキソ−１−フェニル−１，２−ジヒドロピリジン−３−カルボキシアミドである、請求項１に記載の化合物またはその薬理学的に許容可能な塩。
【請求項１０】
請求項１〜９に記載の化合物またはその薬理学的に許容可能な塩、および薬理学的に許容可能な担体、希釈剤または賦形剤を含む、医薬組成物。
【請求項１１】
癌の治療に使用するための請求項１〜９のいずれか一項に記載の化合物またはその薬理学的に許容可能な塩。
【請求項１２】
医薬として使用するための請求項１〜９のいずれかに記載の化合物またはその薬理学的に許容可能な塩。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
安定した注射可能な水中油型ドセタキセルナノエマルション組成物であって、２００ｎｍ未満の液滴サイズ及びｐＨ４．０〜５．５を有し、過敏症反応及び体液貯留がなく、ドセタキセルと、唯一の油成分として合成トリグリセリド油と、ＰＥＧ鎖が２０００〜５０００の分子量を有するＮ−（カルボニル−メトキシポリエチレングリコール）−１，２−ジステアロイル−ｓｎ−グリセロ−３−ホスホエタノールアミンと、唯一の乳化剤として精製天然ホスファチドと、グリセロールと、注射用蒸留水とを含み、更に溶媒又は共溶媒を含まないことを特徴とする組成物。
【請求項２】
Ｎ−（カルボニル−メトキシポリエチレングリコール）−１，２−ジステアロイル−ｓｎ−グリセロ−３−ホスホエタノールアミンが、Ｎ−（カルボニル−メトキシポリエチレングリコール２０００）−１，２−ジステアロイル−ｓｎ−グリセロ−３−ホスホエタノールアミンである、請求項１に記載の組成物。
【請求項３】
安定した注射可能な水中油型ドセタキセルナノエマルション組成物を形成する非経口投与用凍結乾燥組成物であって、再構成時に２００ｎｍ未満の液滴サイズ及びｐＨ４．０〜５．５を有し、過敏症反応及び体液貯留がなく、ドセタキセルと、唯一の油成分として合成トリグリセリド油と、ＰＥＧ鎖が２０００〜５０００の分子量を有するＮ−（カルボニル−メトキシポリエチレングリコール）−１，２−ジステアロイル−ｓｎ−グリセロ−３−ホスホエタノールアミンと、唯一の乳化剤として精製天然ホスファチドと、グリセロールと、凍害防止剤とを含み、更に溶媒又は共溶媒を含まないことを特徴とする凍結乾燥組成物。
【請求項４】
Ｎ−（カルボニル−メトキシポリエチレングリコール）−１，２−ジステアロイル−ｓｎ−グリセロ−３−ホスホエタノールアミンが、Ｎ−（カルボニル−メトキシポリエチレングリコール２０００）−１，２−ジステアロイル−ｓｎ−グリセロ−３−ホスホエタノールアミンである、請求項３に記載の組成物。
【請求項５】
前記ドセタキセルが、前記組成物の０．０５〜２．０％ｗ／ｖである、請求項１〜４のいずれか１項に記載の組成物。
【請求項６】
前記合成トリグリセリド油が、カプロン酸、カプリル酸、カプリン酸、ラウリン酸、ミリスチン酸、オレイン酸及びこれらの混合物から選択される脂肪酸を有する、請求項１〜４のいずれか１項に記載の組成物。
【請求項７】
前記合成トリグリセリド油が、カプリル酸を８５〜１００質量％有する、請求項１〜４のいずれか１項に記載の組成物。
【請求項８】
前記合成トリグリセリド油が、中鎖トリグリセリド、トリカプリリン、トリオレイン及びこれらの混合物から選択される、請求項１〜４のいずれか１項に記載の組成物。
【請求項９】
前記精製天然ホスファチドが、精製卵レシチン、精製大豆レシチン及びこれらの混合物から選択される、請求項１〜４のいずれか１項に記載の組成物。
【請求項１０】
合成トリグリセリド油対ドセタキセル質量比が、１：１〜１００：１である、請求項１〜４のいずれか１項に記載の組成物。
【請求項１１】
合成トリグリセリド油対Ｎ−（カルボニル−メトキシポリエチレングリコール２０００）−１，２−ジステアロイル−ｓｎ−グリセロ−３−ホスホエタノールアミン質量比が、１：１〜１００：１である、請求項２又は４に記載の組成物。
【請求項１２】
合成トリグリセリド油対精製天然ホスファチド質量比が、４：１〜４０：１である、請求項１〜４のいずれか１項に記載の組成物。
【請求項１３】
グリセロール含有量が、前記組成物の０．５〜３％ｗ／ｖである、請求項１〜４のいずれか１項に記載の組成物。
【請求項１４】
請求項１に記載のドセタキセルナノエマルション組成物を調製するための方法であって、以下の工程、
（ｉ）音波処理又は加熱によりドセタキセルを合成トリグリセリド油に溶解させることによって油相を形成する透明な溶液を得る工程、
（ｉｉ）グリセロールを注射用蒸留水に可溶化させて水相を形成する工程、
（ｉｉｉ）Ｎ−（カルボニル−メトキシポリエチレングリコール）−１，２−ジステアロイル−ｓｎ−グリセロ−３−ホスホエタノールアミンを工程ｉの前記油相若しくは工程ｉｉの前記水相に又は一部を工程ｉの前記水相、一部を工程ｉｉの前記油相に分散させる工程、
（ｉｖ）精製天然ホスファチドを工程ｉｉで調製した前記水相に分散させる工程、
（ｖ）攪拌しながら前記油相を前記水相に添加して粗エマルションを得る工程、
（ｖｉ）前記粗エマルションを均質化して平均小球サイズ２００ｎｍ未満、好ましくは１００ｎｍ未満を得る工程、
（ｖｉｉ）得られたエマルションのｐＨを工程ｖ又は工程ｖｉで４．０〜５．５に調節する工程、
（ｖｉｉｉ）工程ｖｉｉの最後に得られるナノエマルションを０．２μｍフィルタで無菌的に濾過し、窒素下でバイアルに充填する工程、
を含むことを特徴とする方法。
【請求項１５】
凍害防止剤がショ糖、トレハロース、マンニトール、乳糖又はこれらの混合物から選択される、請求項３又は４に記載の凍結乾燥組成物。
【請求項１６】
凍害防止剤が最高２０質量％の量のショ糖である、請求項３又は４に記載の凍結乾燥組成物。
【請求項１７】
請求項３に記載の凍結乾燥組成物を調製するための方法であって、以下の工程、
（ｉ）音波処理又は加熱によりドセタキセルを合成トリグリセリド油に溶解させることによって油相を形成する透明な溶液を得る工程、
（ｉｉ）グリセロール及び凍害防止剤を注射用蒸留水に可溶化させて水相を形成する工程、
（ｉｉｉ）Ｎ−（カルボニル−メトキシポリエチレングリコール）−１，２−ジステアロイル−ｓｎ−グリセロ−３−ホスホエタノールアミンを工程ｉの前記油相若しくは工程ｉｉの前記水相に又は一部を工程ｉの前記水相、一部を工程ｉｉの前記油相に分散させる工程、
（ｉｖ）精製天然ホスファチドを工程ｉｉで調製した前記水相に分散させる工程、
（ｖ）攪拌しながら前記油相を前記水相に添加して粗エマルションを得る工程、
（ｖｉ）前記粗エマルションを均質化して平均小球サイズ２００ｎｍ未満、好ましくは１００ｎｍ未満を得る工程、
（ｖｉｉ）得られたエマルションのｐＨを工程ｖ又は工程ｖｉで４．０〜５．５に調節する工程、
（ｖｉｉｉ）工程ｖｉｉの最後に得られるナノエマルションを０．２μｍフィルタで無菌的に濾過し、バイアルに充填し、凍結乾燥する工程、
を含むことを特徴とする方法。
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
患者の心臓の病気を診断する方法を実施するためのキットであって、該方法が：
一酸化窒素を患者の肺に送達すること；及び
該一酸化窒素送達後に心臓の病気の症状が治まる場合に、該患者を心臓の病気に罹患していると診断すること；を含み、
該キットが、液体N2O4供給源、NOガスを供給する小型空気ポンプ及びカニューレを含む、
前記キット。
【請求項２】
前記ポンプが少なくとも80ppmの一酸化窒素を供給する、請求項１記載のキット。
【請求項３】
前記ポンプが少なくとも200ppmの一酸化窒素を供給する、請求項１記載のキット。
【請求項４】
前記ポンプが一酸化窒素を空気とともに供給する、請求項１記載のキット。
【請求項５】
前記ポンプが一酸化窒素を酸素富化空気とともに供給する、請求項１記載のキット。
【請求項６】
前記心臓の病気の症状が、胸痛、息切れ、悪心、発汗、もうろう状態又はそれらの任意の組合せである、請求項１記載のキット。
【請求項７】
前記心臓の病気が心筋梗塞である、請求項１記載のキット。
【請求項８】
心筋梗塞の診断方法を実施するためのキットであって、該方法が：
第1の期間の間、一酸化窒素を患者の肺に送達すること；
該一酸化窒素送達後に患者の症状が治まる場合に、心筋梗塞を診断すること；
第2の期間の間、該患者への一酸化窒素の送達を停止することによって該心筋梗塞の診断を確認すること；及び
該第2の期間後に該患者において、該患者の症状が再提示されるかどうかを確かめること；を含み、
該キットが、液体N2O4供給源、NOガスを供給する小型空気ポンプ及びカニューレを含む、
前記キット。
【請求項９】
患者における心臓の病気の治療方法を実施するためのキットであって、
該方法が、患者が心臓の病気の症状を示す場合に、治療量の一酸化窒素を該患者の肺に送達することを含み、ここで該一酸化窒素が、変換カートリッジ又はレキュペレータを経由して送達され、
該キットが、液体N2O4供給源、NOガスを供給する小型空気ポンプ及びカニューレを含む、
前記キット。
【請求項１０】
患者における灌流障害を防止する又は抑制する方法を実施するためのキットであって、
該方法が、患者が心臓病の症状を示す場合に、治療量の一酸化窒素を該患者の肺に送達することを含み、ここで該一酸化窒素が、変換カートリッジ又はレキュペレータを経由して送達され、
該キットが、液体N2O4供給源、NOガスを供給する小型空気ポンプ及びカニューレを含む、
前記キット。
【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
ロミデプシンを含む、患者の増殖性疾患を治療するための医薬組成物であって、ロミデプシンが、少なくとも1つの投薬単位で1時間未満の期間にわたり前記患者に静脈内投与されるように用いられることを特徴とする、前記医薬組成物。
【請求項２】
前記期間が50分未満、又は40分未満、又は30分未満、又は20分未満である、請求項１記載の医薬組成物。
【請求項３】
前記ロミデプシンが、少なくとも2つの別々の投薬単位で投与される、請求項１記載の医薬組成物。
【請求項４】
前記ロミデプシンが、28日サイクルの第1日目、8日目、及び15日目に投与され、且つ前記28日サイクルが、2〜10回、又は2〜7回、又は2〜5回繰り返される、請求項１記載の医薬組成物。
【請求項５】
ロミデプシンの前記投薬単位が、0.5mg/m2から35mg/m2、又は1.0mg/m2から35mg/m2、又は5mg/m2から28mg/m2、又は8mg/m2から14mg/m2の範囲である、請求項１記載の医薬組成物。
【請求項６】
ロミデプシンの前記投薬単位が、30mg/m2、又は26mg/m2、又は13mg/m2、又は12mg/m2、又は10mg/m2、又は8mg/m2である、請求項５記載の医薬組成物。
【請求項７】
前記医薬組成物は、ロミデプシンが前記患者に繰り返し投与されるように用いられることを特徴とし、且つそのような投与が、4時間の期間にわたり投与されるロミデプシンの同等な投薬レジメンの投与で観察される標準的な毒性の率より、悪くない毒性の率を与える、請求項１記載の医薬組成物。
【請求項８】
前記毒性が、疲労、血液学的毒性、心臓毒性、消化管毒性、体質性毒性、及びこれらの組み合わせからなる群から選択される、請求項７記載の医薬組成物。
【請求項９】
前記ロミデプシンの加速された投与量の投与後48時間以内に前記患者のQTｃが500ミリ秒未満のままである、請求項１記載の医薬組成物。
【請求項１０】
前記患者が、ロミデプシンの投与に関連する重篤な有害事象を受けないことを特徴とし、該有害事象が、心室性不整脈、洞性頻脈、心房律動不整、又は、ST波若しくはT波の変化である、請求項１記載の医薬組成物。
【請求項１１】
ロミデプシンが以下の式のものである、請求項１記載の医薬組成物：
【化１】
2011529904.tif 000001
。
【請求項１２】
ロミデプシン以外の抗新生物薬、細胞毒性薬、タキサン、ステロイド剤、及びプロテアソーム阻害薬からなる群から選択される化合物をさらに含む、請求項１記載の医薬組成物。
【請求項１３】
前記抗新生物薬がゲムシタビンである、請求項１２記載の医薬組成物。
【請求項１４】
前記プロテアソーム阻害薬が、ボルテゾミブ(VELCADE（登録商標）)、ペプチドボロン酸、サリノスポラミドA(NPI-0052)、ラクタシスチン、エポキソマイシン(Ac(Me)-Ile-Ile-Thr-Leu-EX)、MG-132(Z-Leu-Leu-Leu-al)、PR-171、PS-519、エポネマイシン、アクラシノマイシンA、CEP-1612、CVT-63417、PS-341(ピラジルカルボニル-Phe-Leu-ボロナート)、PSI(Z-Ile-Glu(OtBu)-Ala-Leu-al)、MG-262(Z-Leu-Leu-Leu-bor)、PS-273(MNLB)、オムラリド(clasto-ラクタシスチン-β-ラクトン)、NLVS(Nip-Leu-Leu-Leu-ビニルスルホン)、YLVS(Tyr-Leu-Leu-Leu-vs)、ジヒドロエポネマイシン、DFLB(ダンシル-Phe-Leu-ボロナート)、ALLN(Ac-Leu-Leu-Nle-al)、3,4-ジクロロイソクマリン、4-(2-アミノエチル)-ベンゼンスルホニルフルオライド、TMC-95A、グリオトキシン、EGCG((-)-エピガロカテキン-3-ガラート)、及びYU101(Ac-hFLFL-ex)、並びにこれらの組み合わせからなる群から選択される、請求項１２記載の医薬組成物。
【請求項１５】
前記ステロイド剤が、ジプロピオン酸アルクロメタゾン、アムシノニド、ジプロピオン酸ベクロメタゾン、ベタメタゾン、安息香酸ベタメタゾン、ジプロピオン酸ベタメタゾン、リン酸ベタメタゾンナトリウム、リン酸ベタメタゾンナトリウム、酢酸ベタメタゾンナトリウム、吉草酸ベタメタゾン、プロピオン酸クロベタゾール、ピバル酸クロコルトロン、コルチゾール（ヒドロコルチゾン）、酢酸コルチゾール（ヒドロコルチゾン）、酪酸コルチゾール（ヒドロコルチゾン）、シピオン酸コルチゾール（ヒドロコルチゾン）、リン酸コルチゾール（ヒドロコルチゾン）ナトリウム、コハク酸コルチゾール（ヒドロコルチゾン）ナトリウム、吉草酸コルチゾール（ヒドロコルチゾン）、酢酸コルチゾン、デソニド、デソキシメタゾン、デキサメタゾン、酢酸デキサメタゾン、リン酸デキサメタゾンナトリウム、二酢酸ジフロラゾン、酢酸フルドロコルチゾン、フルニソリド、フルオシノロンアセトニド、フルオシノニド、フルオロメトロン、フルランドレノリド、ハルシノニド、メドリゾン、メチルプレドニゾロン、酢酸メチルプレドニゾロン、コハク酸メチルプレドニゾロンナトリウム、フランカルボン酸モメタゾン、酢酸パラメタゾン、プレドニゾロン、酢酸プレドニゾロン、リン酸プレドニゾロンナトリウム、テブト酸プレドニゾロン、プレドニゾン、トリアムシノロン、トリアムシノロンアセトニド、二酢酸トリアムシノロン、トリアムシノロンヘキサセトニド、又はこれらの合成アナログ、及びこれらの組み合わせからなる群から選択される、請求項１２記載の医薬組成物。
【請求項１６】
前記増殖性疾患が良性である、請求項１記載の医薬組成物。
【請求項１７】
前記増殖性疾患がガンである、請求項１記載の医薬組成物。
【請求項１８】
前記ガンが固形腫瘍であり、且つ該固形腫瘍が前立腺ガンである、請求項１記載の医薬組成物。
【請求項１９】
前記ガンが血液ガンであり、該血液ガンが、白血病、リンパ腫、又は多発性骨髄腫である、請求項１記載の医薬組成物。
【請求項２０】
前記リンパ腫が、非ホジキンリンパ腫、ホジキンリンパ腫、リンパ増殖性悪性腫瘍、形質細胞性ガン、非皮膚T細胞リンパ腫(CTCL)、又は末梢T細胞リンパ腫(PTCL)である、請求項１９記載の医薬組成物。
【請求項２１】
前記白血病が、慢性リンパ性白血病(CLL)、急性骨髄性白血病(AML)、又は急性リンパ性白血病(ALL)である、請求項１９記載の医薬組成物。
【請求項２２】
前記ガンが再発性又は難治性のガンである、請求項１７記載の医薬組成物。
【請求項２３】
患者に電解質補充を使用することをさらに含む、請求項１記載の医薬組成物。
【請求項２４】
ロミデプシンを含む、ヒストンデアセチラーゼ阻害剤治療を必要とする患者を治療するための医薬組成物であって、ロミデプシンが、1時間未満の期間にわたり、１つの投薬単位で該患者に静脈内投与されるように用いられることを特徴とする、前記医薬組成物。
【請求項２５】
前記期間が50分未満、又は40分未満、又は30分未満、又は20分未満である、請求項２４記載の医薬組成物。